【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
動画および静止画を撮影して記録する画像データ記録装置において、
動画撮影を指示する動画撮影指示手段と、
静止画撮影を指示する静止画撮影指示手段と、
動画撮影が前記動画撮影指示手段によって指示された場合、動画を、連続して撮影された複数のフレームデータからなる画像データとして記録する動画記録手段と、
動画を記録中でない状態で静止画撮影が前記静止画撮影指示手段によって指示された場合、静止画を、前記静止画撮影指示時に撮影によって得られたフレームデータに、静止画のフレームであることを示す静止画フラグを関連付けた画像データとして記録する静止画記録手段と、
同時撮影として、動画を記録中の状態で静止画撮影が前記静止画撮影指示手段によって指示された場合、前記動画記録手段によって画像データとして記録される複数のフレームデータのうち、前記静止画撮影指示時のフレームデータに前記静止画フラグを関連付ける同時撮影手段とを備えたことを特徴とする画像データ記録装置。
【請求項２】
前記静止画記録手段は、前記静止画撮影指示時、前後の一定時間のもしくは一定フレーム数からなる複数のフレームデータに、前記静止画フラグを関連付けた画像データとして、静止画を記録することを特徴とする請求項１記載の画像データ記録装置。
【請求項３】
前記同時撮影手段は、前記静止画撮影指示時、前後の一定時間のもしくは一定フレーム数からなる複数のフレームデータに、前記静止画フラグを関連付けることを特徴とする請求項１記載の画像データ記録装置。
【請求項４】
前記フレームデータに、撮影モードとして、動画撮影モードあるいは静止画撮影モードを関連付けて記録する撮影モード記録手段を備えたことを特徴とする請求項１乃至３のいずれか１項に記載の画像データ記録装置。
【請求項５】
前記フレームデータに、撮影時の動作を示す撮影動作情報を関連付けて記録する撮影動作情報記録手段を備えたことを特徴とする請求項４記載の画像データ記録装置。
【請求項６】
前記撮影動作情報記録手段は、前記撮影動作情報として、撮影ボタン半押し、ＡＦ合焦、撮影ボタン全押し、ストロボ発光および撮影点を記録することを特徴とする請求項５記載の画像データ記録装置。
【請求項７】
請求項１記載の画像データ記録装置によって記録された画像データを再生する画像データ再生装置であって、
前記画像データの再生を指示する再生指示手段と、
前記画像データの再生が指示された場合、前記フレームデータに関連付けて記録された前記静止画フラグに応じて、前記画像データの再生処理を変更する再生処理手段とを備えたことを特徴とする画像データ再生装置。
【請求項８】
請求項５記載の画像データ記録装置によって記録された画像データを再生する画像データ再生装置であって、
前記画像データの再生を指示する再生指示手段と、
前記画像データの再生が指示された場合、前記フレームデータに関連付けて記録された、前記撮影モード、前記静止画フラグおよび前記撮影動作情報に応じて、前記画像データの再生処理を行う再生処理手段とを備えたことを特徴とする画像データ再生装置。
【請求項９】
前記再生処理手段は、前記画像データの再生中、表示しているフレームデータに前記静止画フラグあるいは特定の撮影動作情報が関連付けられている場合、静止画があることを通知する静止画提示手段を備えたことを特徴とする請求項８記載の画像データ再生装置。
【請求項１０】
前記静止画提示手段は、静止画を示すアイコンを表示する、あるいは再生している画像データと静止画を同時に表示することを特徴とする請求項９記載の画像データ再生装置。
【請求項１１】
前記再生処理手段は、前記画像データの再生中、表示しているフレームデータに前記静止画フラグあるいは特定の撮影動作情報が関連付けられている場合、前記画像データの再生を一時的に停止する再生停止手段と、前記画像データの再生を停止する際、その旨を通知する再生停止通知手段とを備えたことを特徴とする請求項９記載の画像データ再生装置。
【請求項１２】
前記再生停止通知手段は、音を出力する、あるいは画面に画像効果を付けることで通知することを特徴とする請求項１１記載の画像データ再生装置。
【請求項１３】
請求項４記載の画像データ記録装置によって記録された画像データを消去する画像データ消去装置であって、
前記画像データの消去を指示する消去指示手段と、
前記画像データの消去が指示された場合、前記フレームデータに関連付けて記録された、前記撮影モードおよび前記静止画フラグに応じて、前記画像データの消去処理を行う消去処理手段とを備えたことを特徴とする画像データ消去装置。
【請求項１４】
前記消去処理手段は、前記動画撮影モードで同時撮影された静止画を消去する場合、前記静止画フラグを消去する静止画消去手段と、前記動画撮影モードで撮影された動画を消去する場合、消去対象の画像データに、前記静止画フラグが関連付けられたフレームデータがあった場合、当該静止画フラグが関連付けられたフレームデータを別ファイルの画像データとして記録した後に消去する動画消去手段とを備えたことを特徴とする請求項１３記載の画像データ消去装置。
【請求項１５】
動画および静止画を撮影して記録する画像データ記録装置の画像データ記録方法において、
前記画像データ記録装置が動画撮影を指示する動画撮影指示ステップと、
前記画像データ記録装置が静止画撮影を指示する静止画撮影指示ステップと、
動画撮影が前記動画撮影指示ステップで指示された場合、前記画像データ記録装置が、動画を、連続して撮影された複数のフレームデータからなる画像データとして記録する動画記録ステップと、
動画を記録中でない状態で静止画撮影が前記静止画撮影指示ステップで指示された場合、前記画像データ記録装置が、静止画を、前記静止画撮影指示時に撮影によって得られたフレームデータに、静止画のフレームであることを示す静止画フラグを関連付けた画像データとして記録する静止画記録ステップと、
同時撮影として、動画を記録中の状態で静止画撮影が前記静止画撮影指示ステップで指示された場合、前記画像データ記録装置が、前記動画記録ステップで画像データとして記録される複数のフレームデータのうち、前記静止画撮影指示時のフレームデータに前記静止画フラグを関連付ける同時撮影ステップとを有することを特徴とする画像データ記録方法。
【請求項１６】
請求項１５に記載の画像データ記録方法によって記録された画像データを再生する画像データ再生装置の画像データ再生方法であって、
前記画像データ再生装置が前記画像データの再生を指示する再生指示ステップと、
前記画像データの再生が指示された場合、前記画像データ再生装置が、前記フレームデータに関連付けて記録された前記静止画フラグに応じて、前記画像データの再生処理を変更する再生処理ステップとを有することを特徴とする画像データ再生方法。
【請求項１７】
請求項１５に記載の画像データ記録方法によって記録された画像データを消去する画像データ消去装置の画像データ消去方法であって、
前記画像データ消去装置が前記画像データの消去を指示する消去指示ステップと、
前記画像データの消去が指示された場合、前記画像データ消去装置が、前記フレームデータに関連付けて記録された前記静止画フラグに応じて、前記画像データの消去処理を行う消去処理ステップとを有することを特徴とする画像データ消去方法。
【手続補正２】
【補正対象書類名】明細書
【補正対象項目名】０００６
【補正方法】変更
【補正の内容】
【０００６】
上記目的を達成するために、本発明の画像データ記録装置は、動画および静止画を撮影して記録する画像データ記録装置において、動画撮影を指示する動画撮影指示手段と、静止画撮影を指示する静止画撮影指示手段と、動画撮影が前記動画撮影指示手段によって指示された場合、動画を、連続して撮影された複数のフレームデータからなる画像データとして記録する動画記録手段と、動画を記録中でない状態で静止画撮影が前記静止画撮影指示手段によって指示された場合、静止画を、前記静止画撮影指示時に撮影によって得られたフレームデータに、静止画のフレームであることを示す静止画フラグを関連付けた画像データとして記録する静止画記録手段と、同時撮影として、動画を記録中の状態で静止画撮影が前記静止画撮影指示手段によって指示された場合、前記動画記録手段によって画像データとして記録される複数のフレームデータのうち、前記静止画撮影指示時のフレームデータに前記静止画フラグを関連付ける同時撮影手段とを備えたことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】変更
【補正の内容】
【０００９】
また、動画記録中でも処理を滞らせることなく同時撮影が可能となる。
【手続補正５】
【補正対象書類名】明細書
【補正対象項目名】００１０
【補正方法】変更
【補正の内容】
【００１０】
請求項２に係る画像データ記録装置によれば、静止画撮影指示が行われる前のフレームデータから静止画フラグを設定することができる。従って、複数のフレームデータを活用した再生が可能となる。
【手続補正６】
【補正対象書類名】明細書
【補正対象項目名】００１１
【補正方法】変更
【補正の内容】
【００１１】
請求項３に係る画像データ記録装置によれば、静止画撮影の場合と同様、同時撮影指示が行われる前のフレームデータから静止画フラグを設定することができる。
【手続補正７】
【補正対象書類名】明細書
【補正対象項目名】００１２
【補正方法】変更
【補正の内容】
【００１２】
請求項４に係る画像データ記録装置によれば、動画撮影、静止画撮影、同時撮影の各撮影モード時、それぞれ適切な画像データを記録することができる。
【手続補正８】
【補正対象書類名】明細書
【補正対象項目名】００１３
【補正方法】変更
【補正の内容】
【００１３】
請求項５に係る画像データ記録装置によれば、撮影動作情報を対応する各フレームデータに関連付けて記録することができる。従って、撮影動作情報を活用した再生が可能となる。
【手続補正９】
【補正対象書類名】明細書
【補正対象項目名】００１４
【補正方法】変更
【補正の内容】
【００１４】
請求項６に係る画像データ記録装置によれば、撮影動作情報として、撮影ボタン半押し、ＡＦ合焦、撮影ボタン全押し、ストロボ発光および撮影点の各撮影動作をそれぞれ対応するフレームデータに記録することができる。
【手続補正１０】
【補正対象書類名】明細書
【補正対象項目名】００１５
【補正方法】変更
【補正の内容】
【００１５】
請求項７、８に係る画像データ再生装置によれば、動画撮影、静止画撮影、同時撮影の各モードで撮影された画像データを、それぞれ適切に再生することができる。また、静止画撮影モードで撮影した画像データを再生する場合でも、動画のように再生することができる。
【手続補正１１】
【補正対象書類名】明細書
【補正対象項目名】００１６
【補正方法】変更
【補正の内容】
【００１６】
請求項９に係る画像データ再生装置によれば、動画再生中、ユーザは静止画があることを知ることができる。
【手続補正１２】
【補正対象書類名】明細書
【補正対象項目名】００１７
【補正方法】変更
【補正の内容】
【００１７】
請求項１０に係る画像データ再生装置によれば、静止画があることを視覚的に分かり易くすることができる。
【手続補正１３】
【補正対象書類名】明細書
【補正対象項目名】００１８
【補正方法】変更
【補正の内容】
【００１８】
請求項１１に係る画像データ再生装置によれば、再生を一時停止し、その旨を通知することで、撮影時の効果を出すことができる。
【手続補正１４】
【補正対象書類名】明細書
【補正対象項目名】００１９
【補正方法】変更
【補正の内容】
【００１９】
請求項１２に係る画像データ再生装置によれば、例えば、実際の撮影ポイントで撮影効果を表現することができる。
【手続補正１５】
【補正対象書類名】明細書
【補正対象項目名】００２０
【補正方法】変更
【補正の内容】
【００２０】
請求項１３に係る画像データ消去装置によれば、動画撮影、静止画撮影、同時撮影の各モードで撮影された画像データを、それぞれ適切に消去処理することができる。
【手続補正１６】
【補正対象書類名】明細書
【補正対象項目名】００２１
【補正方法】変更
【補正の内容】
【００２１】
請求項１４に係る画像データ消去装置によれば、同時撮影された画像データの消去処理では、同時撮影部を別ファイルとして残しておくので、従来と同様の操作が可能となる。また、別ファイルとして残された同時撮影部の画像データは、静止画撮影モードで記録された画像データと同様のデータ構造を有するので、それ以降、静止画撮影モードで記録された画像データと同様に扱うことができる。